(57)【要約】【課題】音楽などをイヤホンで聞いている途中で電話を使用する場合でも、イヤホンを装着したままの状態で電話対応が可能であるほか、電話の終了後は元の状態に戻すことが可能な携帯電話装置を提供できるようにする。【解決手段】ＣＰＵ1は、テレビ放送番組の出力時にイヤホン１０が接続されていない場合にはテレビ音声を背面スピーカ８から出力させ、イヤホン１０が接続されている場合にはイヤホン１０から出力させるが、テレビ音声をイヤホン１０から出力している最中に電話の通話開始操作が行われた際にはその受話音声を受話スピーカ７から出力させ、この受話スピーカ７から受話音声が出力されている状態で通話終了操作が行われた際には受話スピーカ７からイヤホン１０の出力（テレビ音声出力）に戻す。【選択図】  図１
2007235767.tif 000002
【特許請求の範囲】
【請求項１】
電話の受話音声を出力する受話スピーカと大音響出力が可能な大出力スピーカを備えた携帯電話装置であって、
装置本体にイヤホンが接続されているか否かを判別する判別手段と、
受話音声以外の音響出力時に前記判別結果を参照し、イヤホンが接続されていない場合には前記大出力スピーカから音響出力させ、イヤホンが接続されている場合には当該イヤホンから音響出力させる第１の出力制御手段と、
受話音声以外の音響をイヤホンから出力している最中に電話の通話開始操作が行われた際にはその受話音声を前記受話スピーカから出力させ、この受話スピーカから受話音声が出力されている状態で通話終了操作が行われた際には受話スピーカからイヤホン出力に戻す第２の出力制御手段と、
を具備したことを特徴とする携帯電話装置。
【請求項２】
通話開始操作に応答して音響出力先をイヤホンから受話スピーカに切り替える際に、その切り替えを案内出力する、
ようにしたことを特徴とする請求項1記載の携帯電話装置。
【請求項３】
受話音声以外の音響を大出力スピーカから出力している最中に電話の通話開始操作が行われた際に、この受話音声を当該大出力スピーカから出力する、
ようにしたことを特徴とする請求項1記載の携帯電話装置。
【請求項４】
電話着信時の通話開始操作に先立って受話音声をハンズフリー用の大音量で前記大出力スピーカから出力させるハンズフリー通話を案内出力したのち、この案内に応答してハンズフリー通話の解除が指示された際には、それ以降の受話音声を前記受話スピーカから出力する、
ようにしたことを特徴とする請求項３記載の携帯電話装置。
【請求項５】
電話の受話音声を出力する受話スピーカと大音響出力が可能な大出力スピーカを備えた携帯電話装置であって、
装置本体にイヤホンが接続されているか否かを判別する判別手段と、
イヤホンあるいは大出力スピーカから受話音声以外の音響を出力している最中に電話の通話開始操作が行われた際に、前記判別手段による判別結果を参照し、イヤホンが接続されている場合には前記受話スピーカから受話音声を出力させ、イヤホンが接続されていない場合には前記大出力スピーカから受話音声を出力させる出力制御手段と、
を具備したことを特徴とする携帯電話装置。
【請求項６】
本体スピーカからの音響出力中に装置本体にイヤホンが接続された際に、その音響出力先を本体スピーカからイヤホンに切り替える携帯電話装置であって、
イヤホンからの音響出力中に電話の通話開始操作が行われた際に、その音響出力先をイヤホンから本体スピーカに切り替える第１の出力制御手段と、
この第１の出力制御手段によってイヤホンから本体スピーカに切り替えられている状態において電話の通話終了操作が行われた際に、音響出力先を本体スピーカからイヤホンに戻す第２の出力制御手段と、
を具備したことを特徴とする携帯電話装置。
【請求項７】
コンピュータに対して、
装置本体にイヤホンが接続されているか否かを判別する機能と、
受話音声以外の音響出力時に前記判別結果を参照し、イヤホンが接続されていない場合には大音響出力が可能な大出力スピーカから音響出力し、イヤホンが接続されている場合には当該イヤホンから音響出力する機能と、
受話音声以外の音響をイヤホンから出力している最中に電話の通話開始操作が行われた際にはその受話音声を受話スピーカから出力し、この受話スピーカから受話音声が出力されている状態で通話終了操作が行われた際には受話スピーカからイヤホン出力に戻す機能と、
を実現させるためのプログラム。
【請求項８】
コンピュータに対して、
装置本体にイヤホンが接続されているか否かを判別する機能と、
イヤホンあるいは大音響出力が可能な大出力スピーカから受話音声以外の音響を出力している最中に電話の通話開始操作が行われた際に、前記判別結果を参照し、イヤホンが接続されている場合には受話スピーカから受話音声を出力し、イヤホンが接続されていない場合には前記大出力スピーカから受話音声を出力する機能と、
を実現させるためのプログラム。
【請求項９】
コンピュータに対して、
本体スピーカからの音響出力中に装置本体にイヤホンが接続された際に、その音響出力先を本体スピーカからイヤホンに切り替える機能と、
イヤホンからの音響出力中に電話の通話開始操作が行われた際に、その音響出力先をイヤホンから本体スピーカに切り替える機能と、
イヤホンから本体スピーカに切り替えられている状態において電話の通話終了操作が行われた際に、音響出力先を本体スピーカからイヤホンに戻す機能と、
を実現させるためのプログラム。
【発明の詳細な説明】
【技術分野】
【０００１】
この発明は、電話の受話音声を出力する受話スピーカと大音響出力が可能な大出力スピーカを備えた携帯電話装置及びプログラムに関する。
【背景技術】
【０００２】
従来、携帯電話装置においては、その多機能化に伴って通話機能のほかに、ラジオ機能、テレビ機能、インターネット接続機能、音楽再生機能などが備えられているが、本体スピーカからの音響出力中にイヤホンが接続されると、その音響出力先を本体スピーカからイヤホンに切り替えるようしている。例えば、電話着信時にラジオ出力を停止させることで確実な着信報知を可能とした技術が知られている（特許文献１参照）。
【特許文献１】特開平１１−１１３０５４号公報
【発明の開示】
【発明が解決しようとする課題】
【０００３】
しかしながら、イヤホンが接続されている状態での着信通話時には、イヤホンから受話音声が出力されるため、受話口に耳をかざさなくてもイヤホンを着けたままの状態で通話することが可能となるが、受話口に耳をかざさない状態で口を音声マイクに近づけるという通常のハンドセットスタイルとは大きく異なる不自然な格好となってしまう。
そこで、イヤホンを着信時に外すようにすれば、受話音声の出力先はイヤホンから本体スピーカに切り替えられるが、そのためにはイヤホンを装置本体のジャック部分から抜き取って耳から外したのち、手に持っていたり、身の回りに置いておくようにしているが、イヤホンを外す操作に手間取ると、通話開始操作（オフフック操作）までに時間がかかって着信応答がそれだけ遅れてしまう。また、通話終了操作（オンフック操作）後に、再度、イヤホンを装着する際に、イヤホンの装着に手間取ると、放送番組の聞き逃し時間がそれだけ多くなってしまう。更に、電話着信毎にイヤホンを外すことは、イヤホンを紛失する要因ともなっていた。
【０００４】
この発明の課題は、音楽などをイヤホンで聞いている途中で電話を使用する場合でも、イヤホンを装着したままの状態で電話対応が可能であるほか、電話の終了後は元の状態に戻すことが可能な携帯電話装置を提供できるようにすることである。
【課題を解決するための手段】
【０００５】
請求項１記載の発明は、電話の受話音声を出力する受話スピーカと大音響出力が可能な大出力スピーカを備えた携帯電話装置であって、装置本体にイヤホンが接続されているか否かを判別する判別手段と、受話音声以外の音響出力時に前記判別結果を参照し、イヤホンが接続されていない場合には前記大出力スピーカから音響出力させ、イヤホンが接続されている場合には当該イヤホンから音響出力させる第１の出力制御手段と、受話音声以外の音響をイヤホンから出力している最中に電話の通話開始操作が行われた際にはその受話音声を前記受話スピーカから出力させ、この受話スピーカから受話音声が出力されている状態で通話終了操作が行われた際には受話スピーカからイヤホン出力に戻す第２の出力制御手段とを具備したことを特徴とする。
更に、コンピュータに対して、上述した請求項１記載の発明に示した主要機能を実現させるためのプログラムを提供する（請求項７記載の発明）。
ここで、「受話音声以外の音響出力」とは、例えば、ラジオ放送、テレビ放送、音楽などの音響出力をいう（以下、同様）。
【０００６】
なお、上述した請求項１記載の発明は次のようなものであってもよい。
通話開始操作に応答して音響出力先をイヤホンから受話スピーカに切り替える際に、その切り替えを案内出力する（請求項２記載の発明）。
【０００７】
受話音声以外の音響を大出力スピーカから出力している最中に電話の通話開始操作が行われた際に、この受話音声を当該大出力スピーカから出力する（請求項３記載の発明）。
この場合、電話着信時の通話開始操作に先立って受話音声をハンズフリー用の大音量で前記大出力スピーカから出力させるハンズフリー通話を案内出力したのち、この案内に応答してハンズフリー通話の解除が指示された際には、それ以降の受話音声を前記受話スピーカから出力するようにしてもよい（請求項４記載の発明）。
ここで、「ハンズフリー通話」とは、装置本体を手に持たなくても通話を行うことが可能な状態をいう（以下、同様）。
【０００８】
請求項５記載の発明は、電話の受話音声を出力する受話スピーカと大音響出力が可能な大出力スピーカを備えた携帯電話装置であって、装置本体にイヤホンが接続されているか否かを判別する判別手段と、イヤホンあるいは大出力スピーカから受話音声以外の音響を出力している最中に電話の通話開始操作が行われた際に、前記判別手段による判別結果を参照し、イヤホンが接続されている場合には前記受話スピーカから受話音声を出力させ、イヤホンが接続されていない場合には前記大出力スピーカから受話音声を出力させる出力制御手段とを具備したことを特徴とする。
である。
更に、コンピュータに対して、上述した請求項５記載の発明に示した主要機能を実現させるためのプログラムを提供する（請求項８記載の発明）。
【０００９】
請求項６記載の発明は、本体スピーカからの音響出力中に装置本体にイヤホンが接続された際に、その音響出力先を本体スピーカからイヤホンに切り替える携帯電話装置であって、イヤホンからの音響出力中に電話の通話開始操作が行われた際に、その音響出力先をイヤホンから本体スピーカに切り替える第１の出力制御手段と、この第１の出力制御手段によってイヤホンから本体スピーカに切り替えられている状態において電話の通話終了操作が行われた際に、音響出力先を本体スピーカからイヤホンに戻す第２の出力制御手段とを具備したことを特徴とする。
更に、コンピュータに対して、上述した請求項６記載の発明に示した主要機能を実現させるためのプログラムを提供する（請求項９記載の発明）。
【発明の効果】
【００１０】
請求項１記載の発明によれば、受話音声以外の音響出力時に装置本体にイヤホンが接続されているか否かを判別し、イヤホンが接続されていない場合には大出力スピーカから音響出力させ、イヤホンが接続されている場合にはイヤホンから音響出力させるが、受話音声以外の音響をイヤホンから出力している最中に電話の通話開始操作が行われた際にはその受話音声を受話スピーカから出力させ、この受話スピーカから受話音声が出力されている状態で通話終了操作が行われた際には受話スピーカからイヤホン出力に戻すようにしたから、テレビ放送番組あるいは音楽など、受話音声以外の音響をイヤホンで聞いている途中で電話を使用する場合でも、イヤホンを装着したままの状態で電話対応が可能であるほか、電話の終了後は元の状態に戻すことが可能となり、電話を使用する毎にイヤホンを外す必要がなくなる。したがって、例えば、音楽などから受話音声への切り替え、受話音声から音楽などへの切り替えがスムーズとなり、イヤホンを紛失するおそれもなくなる。
【００１１】
請求項５記載の発明によれば、イヤホンあるいは大出力スピーカから受話音声以外の音響を出力している最中に電話の通話開始操作が行われた際に、イヤホンが接続されている場合には受話スピーカから受話音声を出力させ、イヤホンが接続されていない場合には大出力スピーカから受話音声を出力させるようにしたから、音楽などをイヤホン／大出力スピーカで聞いている途中で電話を使用する場合に、イヤホンの接続有無に基づいて通常スタイ（ハンドセットスタイル）で通話するか、ハンズフリースタイルで通話するかを切り替えることができる。この場合、受話スピーカから受話音声を出力させるハンドセットスタイルでの通話時にはイヤホンを装着したままの状態で電話対応が可能となり、電話を使用する毎にイヤホンを外す必要もなくなる。
【００１２】
請求項６記載の発明によれば、イヤホンからの音響出力中に電話の通話開始操作が行われた際に、その音響出力先をイヤホンから本体スピーカに切り替えるほか、イヤホンから本体スピーカに切り替えた状態において電話の通話終了操作が行われた際に、音響出力先を本体スピーカからイヤホンに戻すようにしたから、イヤホンを装着したままの状態で電話対応が可能となり、電話を使用する毎にイヤホンを外す必要もなくなる。
【発明を実施するための最良の形態】
【００１３】
以下、図１〜図４を参照して本発明の実施例を説明する。
図１は、この携帯電話装置の基本的な構成要素を示したブロック図である。
この携帯電話装置は、通話機能、メール機能などのほか、テレビ放送電波を受信して出力するテレビ機能と、音楽ファイル／録音ファイルなどを読み出して再生出力するオーディオ機能を備えている。つまり、この実施例においては通話機能以外の音響出力機能として、テレビ機能、オーディオ機能を備えている。
なお、この実施例の特徴部分を詳述する前に、この実施例のハードウェア上の構成について以下、説明しておく。
【００１４】
ＣＰＵ１は、記憶部２内の各種のプログラムに応じてこの携帯電話装置の全体動作を制御する中核的な中央演算処理装置であり、このメインＣＰＵ１のほか、この携帯電話装置には、機能別に複数のサブＣＰＵ（図示せず）を有する構成となっている。記憶部２は、不揮発性メモリ(内部メモリ)であり、例えば、フラッシュメモリなどによって構成され、プログラム領域とデータ領域とを有し、このプログラム領域には、後述する図３及び図４に示す動作手順に応じて本実施例を実現するためのプログラムが格納されている。記録メディア３は、着脱自在な可搬型メモリで、画像データ、各種のデータ、プログラムなどを外部供給するもので、例えば、スマートメディア、ＩＣカードなどによって構成されている。メモリ４は、ワーク領域を有する内部メモリで、例えば、ＤＲＡＭ、ＳＤＲＡＭ（Synchronous DRAM）などによって構成されている。
【００１５】
電話通信部５は、無線部を構成するアンテナ５Ａに接続された送受信部（ベースバンド部）の受信側から信号を取り込んで受信ベースバンド信号に復調したのち、この音声データを音響制御部６に与えて受話スピーカ７あるいは背面スピーカ８から出力させたり、ジャック９部を介してイヤホン１０から出力させる。また、電話通信部５は、送話用の音声マイク１１から入力された音声データを音響制御部６から取り込み、送信ベースバンド信号に符号化したのちに送受信部の送信側に与えられてアンテナ５Ａから発信出力させる。
【００１６】
音響制御部６は、デジタル音声データをデジタル／アナログ変換したり、ユーザ操作に応じて電子ボリュームを作動させて音量レベルを調整したり、音響出力先の切り替えを行うもので、受話スピーカ７あるいは背面スピーカ８から音響出力させたり、ジャック９部を介してイヤホン１０から音響出力させる。受話スピーカ７は、電話の受話音声を出力する本体スピーカであり、図２に示すように受話口に設けられている。背面スピーカ８は、大音響出力が可能な大出力スピーカ（本体スピーカ）であり、図２に示すように装置本体の背面側に設けられている。
【００１７】
イヤホン１０はそのプラグをジャック部９に差し込むことによって装置本体に接続される。背面スピーカ８は、広音域の周波数特性を持った高音圧タイプのスピーカであるのに対し、受話スピーカ７、イヤホン１０は、低音圧タイプのスピーカである。イヤホン接続検出部１２は、プルアップ抵抗、スイッチング素子などを有する構成で、イヤホン１０がそのジャック部９に接続されているかを検出するもので、ＣＰＵ１は、この検出信号に基づいてイヤホン１０の接続有無を判別する。
【００１８】
音響制御部６は、テレビ機能、オーディオ機能、インターネット接続機能などからの音響出力時において、イヤホン１０が接続されていない場合には背面スピーカ８から音響出力させ、イヤホン１０が接続されている場合にはイヤホン１０から音響出力させるが、テレビ番組などの音響を出力している最中に電話の通話開始操作（オフフック操作）が行われた際には、その受話音声を受話スピーカ７から出力させ、通話終了操作（オンフック操作）が行われた際には、受話スピーカ７からイヤホン１０への音響出力に戻すようにしている。
【００１９】
この場合、イヤホン１０あるいは背面スピーカ８からテレビ放送番組を出力している最中に電話の通話開始操作が行われた際に、イヤホン１０が接続されている場合には受話スピーカ７から受話音声を出力させ、イヤホン１０が接続されていない場合には背面スピーカ８から受話音声を出力させるようにしている。また、イヤホン１０からテレビ放送番組を出力している最中に電話の通話開始操作が行われた際に、その受話音声の出力先をイヤホン１０から本体スピーカ（受話スピーカ７あるいは背面スピーカ８）に切り替えるほか、イヤホン１０から本体スピーカ（受話スピーカ７あるいは背面スピーカ８）に切り替えた状態において電話の通話終了操作が行われた際に、テレビ放送番組の出力先を本体スピーカ（受話スピーカ７あるいは背面スピーカ８）からイヤホン１０に戻すようにしている。
【００２０】
テレビ受信部１３は、ＴＶアンテナ１３Ａを備え、携帯電話などの携帯受信機向けの地上波デジタルテレビ放送を受信するもので、テレビ映像及び音声情報以外にも電子番組表(ＥＰＧ)なども含めて受信可能である。テレビ受信部１３は、専用ＣＰＵ、ＴＶアンテナ１３Ａに接続されている受信部と、受信したテレビ放送を映像信号、音声信号に分離分離する増幅分離部と、圧縮データを解凍するデコード部などを有する構成となっており、このテレビ受信部１３から出力されたテレビ映像信号は、映像制御部１４を介してメイン表示部１５に表示され、また、テレビ音声信号は、音響制御部６を介して背面スピーカ８あるいはイヤホン１０から出力される。
【００２１】
メイン表示部１５は、文字情報、テレビ映像、各種のメッセージなどを高品位に表示する液晶表示装置などであり、装置本体の背面側に設けられたサブ表示部１６は、現在日時、簡易なメッセージ、アイコンなどを表示する。キー操作部１７は、ダイヤル入力、文字入力、コマンド入力などを行うもので、電話の通話開始を指示するキー、通話終了を指示するキー、テレビ放送の受信出力を開始させるテレビキー、テレビ放送の録画（録音を含む）を指示する録画キー、音楽ファイル／録音ファイルの再生出力を指示する再生キーなどを有し、ＣＰＵ１は、キー操作部１７からのキー入力信号に応じた処理を実行する。録画部１８は、テレビ放送の番組内容を録画する大容量の半導体メモリあるいは小型ハードディスクなどを有する構成となっている。放送内容の録画とは、映像データの録画に限らず、音声データの録音を含むことを意味している。ＣＰＵ１は、この録画部１８あるいは記録メディア３から録画ファイル（録音ファイル）を読み出して再生出力させる。
【００２２】
次にこの実施例における携帯電話装置の動作概念を図３及び図４に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。すなわち、記録媒体のほかに、伝送媒体を介して外部供給されたプログラム／データを利用してこの実施例特有の動作を実行することもできる。
【００２３】
図３及び図４は、テレビ機能のオン操作に伴って実行開始される携帯電話装置の動作を示したフローチャートである。
先ず、ＣＰＵ１は、テレビ受信部１３から映像データ及び音声データを取得し（ステップＳ１）、この映像データを映像制御部１４に与え、メイン表示部１５からテレビ映像を表示出力させる（ステップＳ２）。そして、ＣＰＵ1は、イヤホン接続検出部１２をアクセスし、その検出信号に基づいてイヤホン１０が接続されているか否かの判別を行う（ステップＳ３）。
【００２４】
いま、イヤホン１０が接続されていれば、音響制御部６に対して本体スピーカオフ指令を与えて受話スピーカ７及び背面スピーカ８をオフさせると共に（ステップＳ４）、イヤホン１０からテレビ音声を出力させるが（ステップＳ５）、イヤホン１０が接続されていなければ（ステップＳ３でＮＯ）、音響制御部６に対して本体スピーカオン指令を与えて背面スピーカ８をオンさせると共に（ステップＳ６）、この背面スピーカ８からテレビ音声を拡声モード、つまり、現在設定されているボリューム値に拘らず、比較的大音量で音響出力させる（ステップＳ７）。
【００２５】
このようにテレビ放送番組を映像出力及び音声出力している状態において、ＣＰＵ１は、割込信号（着信あるいは発信）の有無をチェックしたり（ステップＳ８）、操作有無をチェックする（ステップＳ９）。いま、何らかの操作が行われた場合には、テレビ機能のオフ操作（テレビ終了操作）かをチェックし（ステップＳ１０）、終了操作であれば、このフローの終了となるが、その他の操作が行われた場合には、操作対応処理として、例えば、チャンネル変更処理、音量調整処理などを行ったのち（ステップＳ１１）、上述のステップＳ８に戻る。
【００２６】
また、着信／発信の割込信号を受けた場合には（ステップＳ８でＹＥＳ）、イヤホン１０あるいは背面スピーカ８からのテレビ音声出力を一時停止させたのち（ステップＳ１２）、図４のフローに移り、この割込信号は着信割込であるか発信割込であるかを判別する（ステップＳ１３）。ここで、着信割込であれば（ステップＳ１３でＹＥＳ）、イヤホン接続検出部１２をアクセスしてイヤホン１０が接続されているか否かをチェックし（ステップＳ１４）、イヤホン１０でテレビ放送を聞いている場合には（ステップＳ１４でＹＥＳ）、着信音をイヤホン１０から出力させるが（ステップＳ１５）、テレビ放送を背面スピーカ８で聞いている場合には（ステップＳ１４でＮＯ）、着信音を背面スピーカ８から出力させる（ステップＳ１６）。
【００２７】
この着信報知は、通話開始操作（オフフック操作）が行われたり（ステップＳ１７）、着信呼び出しが切られるまで継続される（ステップＳ１８）。ここで、着信呼び出しが切られた場合には、図３のステップＳ３に戻ってテレビ放送番組をイヤホン１０あるいは背面スピーカ８から出力させるが、通話開始操作（オフフック操作）が行われた場合（ステップＳ１７でＹＥＳ）あるいは発信割込を受けた場合には（ステップＳ１３でＮＯ）、イヤホン接続検出部１２をアクセスしてイヤホン１０が接続されているか否かをチェックする（ステップＳ１９）。
【００２８】
いま、イヤホン１０が接続されていれば（ステップＳ１９でＹＥＳ）、イヤホンオフを案内する音声メッセージをイヤホン１０から出力させると共に（ステップＳ２０）、その表示メッセージをメイン表示部１５のテレビ画面内に表示させる（ステップＳ２１）。そして、音響制御部６に対してイヤホンオフ指令を与えてイヤホン１０をオフさせると共に、音響制御部６に対して本体スピーカオン指令を与えて受話スピーカ７をオンさせたのち（ステップＳ２２）、相手先との通話接続が確立されると（ステップＳ２３）、相手先からの受話音声を受話スピーカ７から通常の音量、つまり、耳に受話スピーカ７をかざした状態で受話音声を十分に認識可能な音量で出力させる（ステップＳ２４）。このように受話音声が受話スピーカ７から出力されている状態において通話終了操作（オンフック操作）が行われると（ステップＳ２５でＹＥＳ）、図３のステップＳ３に戻るため、テレビ放送番組をイヤホン１０から出力する元の状態に復帰する。
【００２９】
また、通話開始操作（オフフック操作）時にイヤホン１０が接続されていなければ（ステップＳ１９でＮＯ）、ハンズフリー通話に切り替えることを案内する音声メッセージを本体スピーカ（背面スピーカ８）から出力させる（ステップＳ２６）。この音声案内に応答してハンズフリー通話の解除が指示されたかをチェックし（ステップＳ２７）、その解除操作が行われた場合には、通話接続時に相手先からの受話音声を受話スピーカ７から通常音量で出力させるが（ステップＳ２３、Ｓ２４）、ハンズフリー通話を希望する場合に（ステップＳ２７でＮＯ）、相手先との通話接続が確立されると（ステップＳ２８）、相手先からの受話音声を背面スピーカ８から拡声モード、つまり、現在設定されているボリューム値に拘らず、比較的大音量で音声出力させる（ステップＳ２９）。このように受話音声が背面スピーカ８から出力されている状態において通話終了操作（オンフック操作）が行われると（ステップＳ２５でＹＥＳ）、図３のステップＳ３に戻るため、テレビ放送番組を背面スピーカ８から出力する元の状態に復帰する。
【００３０】
以上のように、この実施例においてＣＰＵ1は、テレビ放送番組の出力時に、装置本体にイヤホン１０が接続されているか否かを判別し、テレビ音声を背面スピーカ８から出力させ、イヤホン１０が接続されている場合にはイヤホン１０から出力させるが、テレビ音声をイヤホン１０から出力している最中に電話の通話開始操作が行われた際にはその受話音声を受話スピーカ７から出力させ、この受話スピーカ７から受話音声が出力されている状態で通話終了操作が行われた際には受話スピーカ７からイヤホン１０の出力（テレビ音声出力）に戻すようにしたから、テレビ音声をイヤホン１０で聞いている途中で電話を使用する場合でも、イヤホン１０を装着したままの状態で電話対応が可能であるほか、電話の終了後は元の状態に戻すことが可能となり、電話を使用する毎にイヤホン１０を外す必要がなくなる。したがって、テレビ音声から受話音声への切り替え、受話音声からテレビ音声への切り替えがスムーズとなり、イヤホン１０を紛失するおそれもなくなる。
【００３１】
言い換えれば、イヤホン１０あるいは背面スピーカ８からテレビ放送番組を出力している最中に電話の通話開始操作が行われた際に、イヤホン１０が接続されている場合には受話スピーカ７から受話音声を出力させ、イヤホン１０が接続されていない場合には背面スピーカ８から受話音声を出力させるようにしたから、テレビ放送番組をイヤホン１０あるいは背面スピーカ８で聞いている途中で電話を使用する場合に、イヤホン１０の接続有無に基づいて通常スタイル（ハンドセットスタイル）で通話するか、ハンズフリースタイルで通話するかを切り替えることができる。この場合、受話スピーカ７から受話音声を出力させるハンドセットスタイルでの通話時には、イヤホン１０を装着したままの状態で電話対応が可能となり、電話を使用する毎にイヤホン１０を外す必要もなくなる。
【００３２】
また、イヤホン１０からテレビ放送番組を出力している最中に電話の通話開始操作が行われた際に、その受話音声の出力先をイヤホン１０から本体スピーカ（受話スピーカ７あるいは背面スピーカ８）に切り替えるほか、イヤホン１０から本体スピーカ（受話スピーカ７あるいは背面スピーカ８）に切り替えた状態において電話の通話終了操作が行われた際に、テレビ放送番組の出力先を本体スピーカ（受話スピーカ７あるいは背面スピーカ８）からイヤホン１０に戻すようにしたから、イヤホン１０を装着したままの状態で電話対応が可能となり、電話を使用する毎にイヤホン１０を外す必要もなくなる。
【００３３】
この場合、通話開始操作に応答して音声出力先をイヤホン１０から受話スピーカ７に切り替える際に、その切り替えを音声メッセージ及び表示メッセージによって案内するようにしたから、音声出力先が不意に切り替えられることを防ぐことができる。
また、テレビ音声を背面スピーカ８から出力している最中に電話の通話開始操作が行われた際に、この受話音声を背面スピーカ８から出力するようにしたから、テレビ音声を聞いている途中で電話を使用する場合には、特別な操作を行わなくても、ハンズフリー通話が可能となる。その際、電話着信時の通話開始操作に先立って受話音声をハンズフリー用の大音量で背面スピーカ８から出力させるハンズフリー通話を案内したのち、この案内に応答してハンズフリー通話の解除が指示された際には、それ以降の受話音声を受話スピーカ７から出力するようにしたから、ユーザの意向に応じた通常通話とハンズフリー通話の選択が可能となる。
【００３４】
なお、上述した図３及び図４のフローチャートにおいては、テレビ機能を作動させた場合を例示したが、テレビ機能に限らず、録画（音声）再生機能を作動させた場合であっても同様に適用可能である。その他、オーディオ機能、ラジオ機能などを作動させている場合であってもよい。
また、上述した実施例においては、音声出力先をイヤホン１０から受話スピーカ７に切り替える際に、その切り替えを音声メッセージ及び表示メッセージによって案内するようにしているが、音声出力先を切り替えるか否かを問い合わせたのちにそれに応答してユーザ指示された際に、この指示に応じて音声出力先を切り替えるか否かを制御するようにしてもよい。
その他、携帯電話装置に限らず、例えば、電話機能を備えたＰＤＡ、電子カメラ、電子腕時計、音楽再生機などの携帯電話装置であっても同様に適用可能である。
【図面の簡単な説明】
【００３５】
【図１】携帯電話装置の基本的な構成要素を示したブロック図。
【図２】携帯電話装置の概略外観図。
【図３】テレビ機能のオン操作に伴って実行開始される携帯電話装置の動作を示したフローチャート。
【図４】図３に続く、フローチャート。
【符号の説明】
【００３６】
１  ＣＰＵ
２  記憶部
６  音響制御部
７  受話スピーカ
８  背面スピーカ
９  ジャック部
１０  イヤホン
１１  音声マイク
１２  イヤホン接続検出部
１３  テレビ受信部
１４  映像制御部
１５  メイン表示部
１７  キー操作部
１８  録画部
【図１】
2007235767.tif 000003
【図２】
2007235767.tif 000004
【図３】
2007235767.tif 000005
【図４】
2007235767.tif 000006